(57)【要約】      （修正有）【課題】お茶入れ過程を簡素化でき、かつ、多用な使用を可能とする杯体構造を提供する。【解決手段】杯体１は、一般の常用杯体で、例えば、紙製やプラスチック製等のカップであり、茶葉と浸潤するための熱い水を収納する収納槽１０があり、上記収納槽の内壁において、適当な位置に、畳み合われた第一、第二シートからなるフィルタシート１１が固定され、第一シートの一面が、収納槽の内壁に密着し、辺縁の両側において、適当な位置に、第二シートに面するような突出が形成され、上記第二シートは、表面に多数の小さい孔が散在し、また、畳み合われた後、上面から杯体に向かって圧印することにより、凹みが形成され、即ち、弾性変形を利用して、上記突出により、第一シートに仮固定にされ、杯体において、茶葉が浸潤される場合、飲む時、杯体の外表面にある突起を押すと、フィルタシートの第二シートが弾み上げてストッパーとして作用する。【選択図】図１
0003145033.tif 000002
【実用新案登録請求の範囲】
【請求項１】
杯体を有し、上記杯体は、収納槽があり、その内壁の適当な位置に、２枚の畳み合って密着し合うフィルタシートが固定され、もう一つを畳み合ってから凹みを圧印することにより、杯体の外表面に突起が形成され、使用する時、杯体の外表面にある突起を押すと、フィルタシートの一つが弾み上げて、ストッパーになり、茶葉などを濾過できる、
ことを特徴とする杯体構造。
【請求項２】
杯体を有し、上記杯体は、収納槽があり、その内壁の適当な位置に、２枚の畳み合って密着し合うフィルタシートが固定され、もう一つを畳み合ってから凹みを圧印することにより、杯体の外表面に突起が形成され、また、杯体にあわせて、適当な位置に飲み口が設けられる蓋体を有し、杯体を封止できる、
ことを特徴とする杯体構造。
【請求項３】
上記杯体は、紙製やプラスチック製のカップからえばられたものであることを特徴とする請求項1や２に記載の杯体構造。
【請求項４】
上記フィルタシートは、畳み合われた第一、第二シートが密着することにより構成され、第一シートは、一面が、収納槽の内壁に貼り付けられ、辺縁の両側において、適当な位置に突出が形成され、上記第二シートは、表面に、小さい孔が散在し、また、畳み合われた後、上面から杯体に向かって圧印することにより、凹みが形成され、これにより、仮固定されることを特徴とする請求項1や２に記載の杯体構造。
【考案の詳細な説明】
【技術分野】
【０００１】
本考案は、お茶入れ道具に関し、特に、茶びんと茶わん及び匂い嗅ぎカップの機能を一体にする杯体構造に関する。
【背景技術】
【０００２】
従来のお茶入れ器具は、一般として、一つの茶びんに、複数の茶わんと匂い嗅ぎカップに合わせる形態であり、お茶入れの過程において、適当な量の茶葉を、茶びん内に入れ込んで熱い水で浸潤してから、必要とするｈ茶湯を、順に茶わん内に注ぎ、複数の人が、同時に享受することが出来る。しかしながら、上記のお茶入れの形態は、時間が掛かり、また、茶具が雑多であるため、容易に破損し、現代人の生活が忙しいため、のんびりにお茶を飲む時間がなくなる。
【０００３】
また、既存の市販の浸潤便利性を強調する使い捨ての商品は、ティーバッグをカップに入れ、熱い水を注入して浸潤してから、所定の時間を経過すると、ティーバッグを出して捨てて、お茶飲みを開始し、このような商品は、ある程度の便利性を有するが、ティーバッグから作った茶湯と、直接に茶葉から浸潤された茶湯とは、口当たりや香りが異なり、特に茶葉によるお茶を飲み慣れる人にとって、納得できないほどの差があり、そのため、より簡単なお茶入れ仕方が要請される。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案の主な目的は、茶びんと茶わん及び匂い嗅ぎカップ等の機能を一体にして、お茶入れの過程を簡素化でき、多様化の使用効果が得られる杯体構造を提供する。
【課題を解決するための手段】
【０００６】
本考案は、上記の目的を達成するため、一般の常用の杯体で、例えば、紙製やプラスチック製等のカップであり、茶葉と浸潤するための熱い水を収納する収納槽があり、上記収納槽の内壁において、適当な位置に、畳み合われた第一、第二シートからなるフィルタシートが固定され、第一シートの一面が、収納槽の内壁に密着し、辺縁の両側において、適当な位置に、第二シートに面するような突出が形成され、上記第二シートは、表面に多数の小さい孔が散在し、また、畳み合われた後、上面から杯体に向かって圧印することにより、凹みが形成され、即ち、弾性変形を利用して、上記突出により、第一シートに仮固定にされ、また、杯体の外表面に、微細の突起が形成される杯体構造である。
【０００７】
上記の構成を有する杯体に、茶葉が浸潤されると、飲む前、杯体の外表面にある突起を押すことにより、フィルタシートの第二シートが弾み上げ、ストッパー作用を発揮でき、茶湯を飲む時、フィルタの効果が得られる。
【０００８】
また、本考案に係る杯体は、杯体の上縁に合わせる蓋体が設けられて、杯体が封止され、また、蓋体に、適当に飲み口が設けられてもよく、これにより、茶湯が溢れることを防止しながら、茶の香りを保つことが出来る。
【０００９】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１０】
図１は、本考案の杯体構造であり、
杯体１があり、上記杯体１は、一般の常用の杯体で、例えば、紙製やプラスチック製の等のカップであり、茶葉と浸潤するための熱い水を収納する収納槽１０があり、上記収納槽１０の内壁において、適当な位置に、畳み合われた第一、第二シート１１１、１１２からなるフィルタシート１１が固定され、図２を参照しながら、第一シート１１１の一面が、収納槽１０の内壁に密着し、辺縁の両側において、適当な位置に、第二シートに面するような突出１１３が形成され、上記第二シート１１２は、表面に多数の小さい孔１１４が散在し、また、畳み合われた後、上面から第一シート１１１を介して杯体に向かって圧印することにより、凹みが形成され、即ち、弾性変形を利用して、上記突出１１３により、第一シートに仮固定にされ、また、杯体の外表面に、微細の突起が形成される。
【００１１】
図４のように、上記本考案に係る杯体１は、必要に応じて、蓋体２が設けられてもよく、上記蓋体２は、杯体１の上縁にあわせるため、杯体１を封止でき、これにより、杯体から液体が溢れることを防止でき、また、上記蓋体２に、飲み口２０が設けられてもよく、これにより、蓋体を開けなくても直接に飲むことが出来る。
【００１２】
上記杯体構造によれば、図３のように、適当量の茶葉を杯体１の収納槽１０に入れ込んで、適量の熱い水で浸潤し、飲む時、指で杯体１の外表面にあるフィルタシート１１に対応して形成された突起を押すと、上記フィルタシート１１の第一シート１１１が、押されて、杯体１の内側へ拡張し、二つの突出１１３から第二シート１１２が釈放され、第二シート１１２が、弾み上げて、杯体１内において、起立の形態になり、ストッパーの作用が発揮され、そのため、茶湯を出す同時に、第二シート１１２により、茶葉が、濾過されて杯体１内に残され、従来のお茶入れと異なり、より簡単なお茶飲み仕方が形成される。
【００１３】
以上から分かるように、本考案に係る蓋体付きの杯体によれば、飲む時、杯体の外表面にある突起を押すだけ、内側にあり、対応するフィルタシート１１の第二シート１１２が弾み上げて、ストッパー作用を発揮し、また、その表面に散在する小さい孔１１４により、有効に茶葉を濾過でき、気楽に茶湯を享受でき、本法案によると、従来の、茶びんと茶わんを利用する形態と異なり、快速且つ簡単なお茶入れ方式を提供でき、また、ティーバッグを利用して浸潤する方式と異なり、特に、茶葉を濾過してから飲む手順を必要しなく、フィルタシートにより同時に、茶葉を濾過でき、便利だけでなく、より衛生的になり、また、蓋体を利用すれば、茶湯が溢れることを防止しながら、茶の香りを保つことが出来る。
【００１４】
勿論、本考案は、お茶のみに利用できないものではなく、例えば、ジュウスや他の飲み物の浸潤にも適用できる。
【００１５】
そのため、本考案は、より進歩的かつより実用的で、法に従って実用新案登録出願をする。
【００１６】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【図面の簡単な説明】
【００１７】
【図１】本考案のより良い実施例の構造概念図
【図２】本考案のより良い実施例の一部構造概念図
【図３】本考案のより良い実施例の使用状態概念図
【図４】本考案の他のより良い実施例の構造概念図
【符号の説明】
【００１８】
１      杯体
１０    収納槽
１１    フィルタシート
１１１  第一シート
１１２  第二シート
１１３  突出
１１４  小さい孔
２     
蓋体
２０    飲み口
【図１】
0003145033.tif 000003
【図２】
0003145033.tif 000004
【図３】
0003145033.tif 000005
【図４】
0003145033.tif 000006